【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
下記成分を含んでなる熱硬化性組成物。
ポリ（アリーレンエーテル）５〜５０重量部、
エポキシ樹脂、ポリエステル樹脂、ポリイミド樹脂、ビスマレイミド樹脂、シアン酸エステル樹脂、ビニル樹脂、ベンゾオキサジン樹脂、ベンゾシクロブテン樹脂及びこれらの熱硬化性樹脂の１種以上を含む混合物からなる群から選択される熱硬化性樹脂２５〜９０重量部、
ポリビニルアセタール樹脂、スチレン−ブタジエン−スチレンブロックコポリマー、スチレン−エチレン−スチレンブロックコポリマー、スチレン−エチレン−ブチレン−スチレンブロックコポリマー、官能化ブタジエン−アクリロニトリルコポリマー、スチレン−ブタジエンコアシェルゴム、スチレン−ブタジエン−スチレンコアシェルゴム及びこれらの相溶化剤の１種以上を含む混合物からなる群から選択される相溶化剤０．５〜１５重量部、並びに
アミドアミン、ポリアミド、脂環式アミン、修飾脂環式アミン、芳香族アミン、修飾芳香族アミン、ＢＦ3−アミン付加物、イミダゾール類、グアニジン類、アリーレンポリアミン及びこれらのアミン硬化剤の１種以上を含む混合物からなる群から選択されるアミン硬化剤であって、熱硬化性樹脂１００重量部当たり３〜１５０重量部のアミン硬化剤
ただし、ポリ（アリーレンエーテル）と熱硬化性樹脂と相溶化剤との合計は１００重量部である。
【請求項２】
ポリ（アリーレンエーテル）が、次式の構造単位を複数含む、請求項１記載の組成物。
【化１】
2004531634.tif 000001
（式中、各構造単位について、各Ｑ1は独立にハロゲン、第一若しくは第二Ｃ1〜Ｃ7アルキル、フェニル、Ｃ1〜Ｃ7ハロアルキル、Ｃ1〜Ｃ7アミノアルキル、Ｃ1〜Ｃ7炭化水素オキシ、又はハロゲン原子と酸素原子とが２以上の炭素原子で隔てられたＣ2〜Ｃ7ハロ炭化水素オキシであり、各Ｑ2は独立に水素、ハロゲン、第一若しくは第二Ｃ1〜Ｃ7アルキル、フェニル、Ｃ1〜Ｃ7ハロアルキル、Ｃ1〜Ｃ7アミノアルキル、Ｃ1〜Ｃ7炭化水素オキシ、又はハロゲン原子と酸素原子とが２以上の炭素原子で隔てられたＣ2〜Ｃ7ハロ炭化水素オキシである。）
【請求項３】
熱硬化性樹脂がエポキシ樹脂を含む、請求項１記載の組成物。
【請求項４】
熱硬化性樹脂が２，２−ビス（４−ヒドロキシフェニル）プロパンとエピクロロヒドリンの反応生成物を含む、請求項１記載の組成物。
【請求項５】
相溶化剤がポリビニルアセタール又はポリビニルブチラールを含む、請求項１記載の組成物。
【請求項６】
硬化剤がアリーレンポリアミンを含む、請求項１記載の組成物。
【請求項７】
さらに、ポリ（アリーレンエーテル）樹脂に対して有効な可塑剤をポリ（アリーレンエーテル）１００重量部当たり０．１〜２０重量部含む、請求項１記載の組成物。
【請求項８】
可塑剤が、レゾルシノールジホスフェート、ビスフェノールＡジホスフェート、イソプロピル化フェノールホスフェート及びこれらの可塑剤の１種以上を含む混合物からなる群から選択される、請求項７記載の組成物。
【請求項９】
下記成分を含んでなる熱硬化性組成物。
２５℃のクロロホルム中で測定して０．２０〜０．４０ｄＬ／ｇの固有粘度を有するポリ（アリーレンエーテル）１０〜４０重量部、
エポキシ樹脂５０〜８５重量部、
ポリビニルブチラール２〜１０重量部、及び
熱硬化性樹脂１００重量部当たり２０〜１００重量部の芳香族アミン硬化剤、
ただし、ポリ（アリーレンエーテル）と熱硬化性樹脂と相溶化剤との合計は１００重量部である。
【請求項１０】
硬化性樹脂組成物の製造方法であって、
ポリ（アリーレンエーテル）５〜５０重量部と、エポキシ樹脂、ポリエステル樹脂、ポリイミド樹脂、ビスマレイミド樹脂、シアン酸エステル樹脂、ビニル樹脂、ベンゾオキサジン樹脂、ベンゾシクロブテン樹脂及びこれらの熱硬化性樹脂の１種以上を含む混合物からなる群から選択される熱硬化性樹脂２５〜９０重量部と、ポリビニルアセタール樹脂、スチレン−ブタジエン−スチレンブロックコポリマー、スチレン−エチレン−スチレンブロックコポリマー、スチレン−エチレン−ブチレン−スチレンブロックコポリマー、官能化ブタジエン−アクリロニトリルコポリマー、スチレン−ブタジエンコアシェルゴム、スチレン−ブタジエン−スチレンコアシェルゴム及びこれらの相溶化剤の１種以上を含む混合物からなる群から選択される相溶化剤０．５〜１５重量部と、アミドアミン、ポリアミド、脂環式アミン、修飾脂環式アミン、芳香族アミン、修飾芳香族アミン、ＢＦ3−アミン付加物、イミダゾール類、グアニジン類、アリーレンポリアミン及びこれらのアミン硬化剤の１種以上を含む混合物からなる群から選択されるアミン硬化剤であって、熱硬化性樹脂１００重量部当たり３〜１５０重量部のアミン硬化剤とを含む均一ブレンド（ただし、ポリ（アリーレンエーテル）と熱硬化性樹脂と相溶化剤との合計は１００重量部である。）を形成する
ことを含んでなる方法。
【請求項１１】
硬化性樹脂組成物の製造方法であって、
ポリ（アリーレンエーテル）５〜５０重量部と、エポキシ樹脂、ポリエステル樹脂、ポリイミド樹脂、ビスマレイミド樹脂、シアン酸エステル樹脂、ビニル樹脂、ベンゾオキサジン樹脂、ベンゾシクロブテン樹脂及びこれらの熱硬化性樹脂の１種以上を含む混合物からなる群から選択される熱硬化性樹脂２５〜９０重量部と、ポリビニルアセタール樹脂、スチレン−ブタジエン−スチレンブロックコポリマー、スチレン−エチレン−スチレンブロックコポリマー、スチレン−エチレン−ブチレン−スチレンブロックコポリマー、官能化ブタジエン−アクリロニトリルコポリマー、スチレン−ブタジエンコアシェルゴム、スチレン−ブタジエン−スチレンコアシェルゴム及びこれらの相溶化剤の１種以上を含む混合物からなる群から選択される相溶化剤０．５〜１５重量部とを含む第一の均一ブレンドを形成し、
第一の均一ブレンドと、アミドアミン、ポリアミド、脂環式アミン、修飾脂環式アミン、芳香族アミン、修飾芳香族アミン、ＢＦ3−アミン付加物、イミダゾール類、グアニジン類、アリーレンポリアミン及びこれらのアミン硬化剤の１種以上を含む混合物からなる群から選択されるアミン硬化剤であって、熱硬化性樹脂１００重量部当たり３〜１５０重量部のアミン硬化剤とを含む第二の均一ブレンド（ただし、ポリ（アリーレンエーテル）と熱硬化性樹脂と相溶化剤との合計は１００重量部である。）を形成する
ことを含んでなる方法。
【請求項１２】
ポリ（アリーレンエーテル）含有固体コンセントレートの製造方法であって、
３０〜９０重量部のポリ（アリーレンエーテル）及び１０〜７０重量部の熱硬化性樹脂を適当な溶媒の存在下でブレンドして均質溶液（ただし、ポリ（アリーレンエーテル）と熱硬化性樹脂との合計は１００重量部である。）を形成し、
適当な溶媒を実質的に除去して固体コンセントレートを得る
ことを含んでなる方法。
【請求項１３】
３０〜９０重量部のポリ（アリーレンエーテル）と１０〜７０重量部の熱硬化性樹脂を含んでなるポリ（アリーレンエーテル）含有固体コンセントレート。
【請求項１４】
３０〜９０重量部のポリ（アリーレンエーテル）、１０〜７０重量部の熱硬化性樹脂及び３〜１５０重量部の硬化剤を含んでなるポリ（アリーレンエーテル）含有固体コンセントレート。
【請求項１５】
以下の成分を含んでなる硬化組成物。
ポリ（アリーレンエーテル）５〜５０重量部、
エポキシ樹脂、ポリエステル樹脂、ポリイミド樹脂、ビスマレイミド樹脂、シアン酸エステル樹脂、ビニル樹脂、ベンゾオキサジン樹脂、ベンゾシクロブテン樹脂及びこれらの熱硬化性樹脂の１種以上を含む混合物からなる群から選択される熱硬化性樹脂２５〜９０重量部、及び
ポリビニルアセタール樹脂、スチレン−ブタジエン−スチレンブロックコポリマー、スチレン−エチレン−スチレンブロックコポリマー、スチレン−エチレン−ブチレン−スチレンブロックコポリマー、官能化ブタジエン−アクリロニトリルコポリマー、スチレン−ブタジエンコアシェルゴム、スチレン−ブタジエン−スチレンコアシェルゴム及びこれらの相溶化剤の１種以上を含む混合物からなる群から選択される相溶化剤０．５〜１５重量部、
ただし、ポリ（アリーレンエーテル）と熱硬化性樹脂と相溶化剤との合計は１００重量部である。
【請求項１６】
請求項１５記載の硬化樹脂組成物を含んでなる物品。